(57)【要約】【課題】無線通信装置内蔵テレビジョン受像機において、無線通信の接続状況が悪い環境でも最後までチャンネルサーチを行い、さらにサーチ時間短縮を行うことを目的とする。【解決手段】放送波を受信し選局して映像信号を取り出すチューナ部１０１と、チューナ部１０１と無線伝送を行い、映像信号を表示するモニタ部１０２とを備えたテレビジョン受信機において、チューナ部１０１は、無線伝送状態を監視し、無線伝送が切断した際に、チャンネルサーチ部１０４によるチャンネルサーチ結果を記憶部１０５に記憶し、切断した無線伝送が接続された際に、記憶部１０５に記憶したチャンネルサーチ結果を、チューナ無線部１０８を介してモニタ部１０２に送信することで、無線が途中で切断されても最後までサーチが可能となり、さらに時間短縮が可能となる。【選択図】図１
2008061056.tif 000002
【特許請求の範囲】
【請求項１】
放送波を受信し選局して映像信号を取り出すチューナ部と、前記チューナ部と無線伝送を行い、前記映像信号を表示するモニタ部とを備えたテレビジョン受信機において、
前記モニタ部は、
前記チューナ部と無線伝送を行うモニタ無線通信部と、
前記モニタ無線通信部で受信した映像信号とチャンネルサーチ結果を表すグラフィック信号を合成するモニタ映像処理部と、
前記モニタ映像処理部の出力信号を表示する映像出力部とを備え、
前記チューナ部は、
映像信号を含む高周波ディジタル変調信号のうちから特定周波数の信号を取り出すチューナと、
前記チューナが取り出した信号における映像信号の有無を判別するチャンネルサーチ部と、
前記チューナからの映像信号及び前記チャンネルサーチ部によるチャンネルサーチ結果を無線伝送するチューナ無線通信部と、
データを記憶する記憶部と、
前記チューナ無線通信部における無線伝送状態を監視し、無線伝送が切断した際に、前記チャンネルサーチ部によるチャンネルサーチ結果を前記記憶部に記憶し、切断した無線伝送が接続された際に、前記記憶部に記憶したチャンネルサーチ結果を、前記チューナ無線部を介して前記モニタ部に送信する制御部とを備えたテレビジョン受信機。
【請求項２】
前記チューナ部は、前記チャンネルサーチ部によるチャンネルサーチ結果を表すグラフィック信号を映像信号と合成するチューナ映像処理部をさらに備えた請求項１記載のテレビジョン受像機。
【請求項３】
放送波を受信し選局して映像信号を取り出すチューナ部と、前記チューナ部と無線伝送を行い、前記映像信号を表示するモニタ部とを備えたテレビジョン受信機におけるチャンネルサーチ方法であって、
前記モニタ部は、
前記チューナ部と無線伝送を行うモニタ無線通信ステップと、
前記モニタ無線通信ステップで受信した映像信号とチャンネルサーチ結果を表すグラフィック信号を合成するモニタ映像処理ステップと、
前記モニタ映像処理ステップの出力信号を表示する映像出力ステップとを含み、
前記チューナ部は、
映像信号を含む高周波ディジタル変調信号のうちから特定周波数の信号を取り出すチューナステップと、
前記チューナステップで取り出した信号における映像信号の有無を判別するチャンネルサーチステップと、
前記チューナステップからの映像信号及び前記チャンネルサーチステップによるチャンネルサーチ結果を無線伝送するチューナ無線通信ステップと、
データを記憶する記憶ステップと、
前記チューナ無線通信ステップにおける無線伝送状態を監視し、無線伝送が切断した際に、前記チャンネルサーチステップによるチャンネルサーチ結果を前記記憶ステップにより記憶し、切断した無線伝送が接続された際に、前記記憶ステップで記憶したチャンネルサーチ結果を、前記チューナ無線ステップにより前記モニタ部に送信する制御ステップとを含むチャンネルサーチ方法。
【請求項４】
前記チューナ部は、前記チャンネルサーチステップによるチャンネルサーチ結果を表すグラフィック信号を映像信号と合成するチューナ映像処理ステップをさらに含む請求項３記載のチャンネルサーチ方法。
【発明の詳細な説明】
【技術分野】
【０００１】
本発明は、無線通信装置内蔵テレビジョン受像機に関し、特に無線通信装置内蔵テレビジョン受像機におけるチャンネルサーチ機能に関する。
【背景技術】
【０００２】
従来、チューナを含むチューナ部とモニタ部とを別個に構成し、チューナ部で受信したテレビジョン放送信号を無線通信によりモニタ部へ送信し、モニタ部は受信したテレビジョン放送信号に所定の処理を施した後にテレビジョン画面として提供する無線通信装置内蔵テレビジョン受像機が知られている。このような無線通信装置内蔵テレビジョン受像機において、使用者の使い勝手を向上させることを目的に、使用者の利用する地域に最適な放送をサーチしてプリセットする技術が知られている（例えば、特許文献１参照）。
【０００３】
従来の無線通信装置内蔵テレビジョン受像機は、無線通信切断時にもモニタ部にチャンネル情報を表示するために、チューナ部とモニタ部とにおいて、チャンネルサーチで取得したチャンネル情報を互いに保持する必要がある。そのため、チューナ部においてチャンネルサーチ実行中に無線通信が切断した場合には、チューナ部におけるチャンネルサーチを中断し、無線通信が回復した後に中断位置からチャンネルサーチを再開することによって、互いに保持するチャンネル情報の同一性を保っていた。
【特許文献１】特開２００５−３３３５３２号公報
【発明の開示】
【発明が解決しようとする課題】
【０００４】
しかしながら、前記従来の構成では、無線切断された時にチャンネルサーチが停止していたために、サーチ機能が遅くなるという課題があった。
【０００５】
本発明は、かかる状況に鑑みて、無線が途中で切断されても最後までサーチが可能となり、さらに時間短縮が可能な無線通信装置内蔵テレビジョン受像機及びチャンネルサーチ方法を提供することを目的とする。
【課題を解決するための手段】
【０００６】
上記課題を解決するため、本発明のテレビジョン受信機は、放送波を受信し選局して映像信号を取り出すチューナ部と、前記チューナ部と無線伝送を行い、前記映像信号を表示するモニタ部とを備えたテレビジョン受信機において、前記モニタ部は、前記チューナ部と無線伝送を行うモニタ無線通信部と、前記モニタ無線通信部で受信した映像信号とチャンネルサーチ結果を表すグラフィック信号を合成するモニタ映像処理部と、前記モニタ映像処理部の出力信号を表示する映像出力部とを備え、前記チューナ部は、映像信号を含む高周波ディジタル変調信号のうちから特定周波数の信号を取り出すチューナと、前記チューナが取り出した信号における映像信号の有無を判別するチャンネルサーチ部と、前記チューナからの映像信号及び前記チャンネルサーチ部によるチャンネルサーチ結果を無線伝送するチューナ無線通信部と、データを記憶する記憶部と、前記チューナ無線通信部における無線伝送状態を監視し、無線伝送が切断した際に、前記チャンネルサーチ部によるチャンネルサーチ結果を前記記憶部に記憶し、切断した無線伝送が接続された際に、前記記憶部に記憶したチャンネルサーチ結果を、前記チューナ無線部を介して前記モニタ部に送信する制御部とを備えたことを特徴とする。
【発明の効果】
【０００７】
以上のように、本発明の無線通信装置内蔵テレビジョン受像機によれば、チャンネルサーチの実行時に、無線が途中で切断されても最後までサーチが可能となり、さらに時間短縮が可能となる。
【発明を実施するための最良の形態】
【０００８】
以下本発明を実施するための最良の形態について、図面を参照しながら説明する。
（実施の形態１）
図１は本発明の実施の形態１による無線通信装置内蔵テレビジョン受像機の構成を示すブロック図である。
【０００９】
無線通信装置内蔵テレビジョン受信機は、放送波を受信し、特定周波数の信号を取り出し選局するチューナ部１０１と、チューナ部１０１で抽出した映像信号を無線通信でやりとりし、表示するモニタ部１０２とからなる。
【００１０】
チューナ部１０１は、チューナ部１０１を制御するチューナマイクロコンピュータ１０２と、映像信号を含む高周波ディジタル変調信号のうちから特定周波数の信号を取り出し、選局を行うチューナ１０３と、映像信号の有無を判別するチャンネルサーチ部１０４と、チャンネルサーチ部１０４によるチャンネルサーチ結果を記憶する記憶部１０５と、チューナ１０３からの映像信号を無線通信を用いて伝送するためにＭＰＥＧエンコードするＭＰＥＧエンコード部１０７と、ＭＰＥＧエンコードされた映像信号、及びチャンネルサーチによる結果をモニタ部１０９に送信するチューナ無線通信部１０８で構成されている。
【００１１】
モニタ部１０９は、モニタ部１０９を制御するモニタマイクロコンピュータ１１０と、チューナ無線通信部１０８から送信される映像信号、及びチャンネルサーチ結果を受信するモニタ無線通信部１１１と、受信した映像信号をＭＰＥＧデコードするＭＰＥＧデコード部１１２と、ＭＰＥＧデコードした映像信号とチャンネルサーチ結果を表すグラフィック信号を合成するモニタ映像処理部１１３と、映像処理した映像信号を画面に出力する映像出力部１１４で構成されている。
【００１２】
次に、本実施の形態１によるチューナ部１０１のチャンネルサーチ機能の動作を図２に示すフローチャートを用いて説明する。
【００１３】
チューナマイクロコンピュータ１０２の制御により、チューナ１０３は高周波ディジタル変調信号のうちから特定周波数の信号を取り出す選局を行い（ステップ２０１）、チャンネルサーチ部１０４は映像信号の有無を判別し、チャンネルサーチを行う（ステップ２０２）。検出したチャンネルに関するチャンネル情報は、チューナマイクロコンピュータ１０２で保持される。チューナマイクロコンピュータ１０２は、チューナ無線通信部１０８の状態を監視し、無線接続されていない場合は（ステップ２０３で「Ｎ」）、チャンネルサーチ結果を記憶部１０５に記憶した後に（ステップ２０５）、次のチャンネルのサーチを実行する（ステップ２０２）。無線接続されている場合は（ステップ２０３で「Ｙ」）、チューナマイクロコンピュータ１０２は、記憶部１０５にチャンネルサーチ結果が記憶されているかどうかを確認し、記憶されている場合には、チャンネルサーチした結果を、記憶されたチャンネルサーチ結果とともに、チューナ無線通信部１０８を介して、モニタ無線通信部１１１に送信する（ステップ２０４）。チューナ部１０１は、チューナ１０３からの映像信号をＭＰＥＧエンコード部１０７でＭＰＥＧエンコードし（ステップ２０６）、ＭＰＥＧエンコードされた映像信号をチューナ無線通信部１０８を介して、モニタ無線通信部１１１に送信する（ステップ２０７）。
【００１４】
以上のように、チューナ部１０１は、無線が切断された場合でも、引き続きチャンネルサーチを実行することによって、チャンネルサーチ時間を短縮することができる。
【００１５】
次に、モニタ部１０９のチャンネルサーチ機能の動作を図３に示すフローチャートを用いて説明する。
【００１６】
モニタ部１０９は、チューナ無線通信部１０８から送信される映像信号をモニタ無線通信部１１１で受信し（ステップ３０１）、受信した映像信号をＭＰＥＧデコード部１１２でデコードする（ステップ３０２）。また、チューナ無線通信部１０８から送信されるチャンネルサーチ結果をモニタ無線通信部１１１で受信し（ステップ３０３）、モニタマイクロコンピュータ１１０は、受信したチャンネルサーチ結果を、保持するチャンネル情報に反映する。モニタマイクロコンピュータ１１０は、モニタ無線通信部１１１の状態を監視し、無線接続されている場合は（ステップ３０４で「Ｙ」）、チャンネルサーチ結果を映像処理部１１３でグラフィック合成し（ステップ３０５）、無線接続されていない場合は（ステップ３０４で「Ｎ」）、無線切断を示したグラフィックを映像処理部１１３で合成し（ステップ３０６）、映像処理された映像信号を映像出力部１１４で画面に出力する（ステップ３０７）。
【００１７】
ユーザ操作によりチャンネル情報を表示する指示が行われた場合、モニタ部１０９は、モニタマイクロコンピュータ１１０が保持するチャンネル情報を表示する。無線が切断された場合、モニタ部１０９は、切断前にチューナ部１０１から受信したチャンネル情報を表示し、接続後は、切断中にチューナ部１０１で実行したチャンネルサーチ結果を反映したチャンネル情報を表示する。
【００１８】
以上のように、チューナ部１０１は、無線が切断された場合でも引き続きチャンネルサーチを実行し、その結果を記憶部１０５に格納し、無線の切断が解消した際に、チャンネルサーチの結果を、記憶部１０５に格納したチャンネルサーチ結果とともに送信することによって、チューナ部１０１とモニタ部１０９で保持するチャンネル情報の同一性を保持しつつ、チャンネルサーチ時間を短縮することができる。
（実施の形態２）
図４は本発明の実施の形態２による無線通信装置内蔵テレビジョン受像機の構成を示すブロック図である。
【００１９】
チューナ部１０１において、チャンネルサーチによる結果を表すグラフィック信号を映像信号と合成するチューナ映像処理部１０６を実施の形態１から追加し、それ以外の構成要素に関しては実施の形態１と同様であり、説明を省略する。
【００２０】
次に、本実施の形態２によるチューナ部１０１のチャンネルサーチ機能の動作を図５に示すフローチャートを用いて説明する。
【００２１】
チューナマイクロコンピュータ１０２の制御により、チューナ１０３は放送を選局し（ステップ４０１）、チャンネルサーチ部１０４で映像信号の有無を判別する。（ステップ４０２）チューナマイクロコンピュータ１０２は、チューナ無線部１０８の状態を監視し、無線接続されていない場合は（ステップ４０３で「Ｎ」）、チャンネルサーチ結果を記憶部１０５に記憶した後に（ステップ４０５）、次のチャンネルのサーチを実行する（ステップ４０２）。無線接続されている場合は（ステップ４０３で「Ｙ」）、チューナマイクロコンピュータ１０２は、記憶部１０５にチャンネルサーチ結果が記憶されているかどうかを確認し、記憶されている場合には、チャンネルサーチした結果を、記憶されたチャンネルサーチ結果とともに映像処理部１０６でグラフィック合成し（ステップ４０４）、チューナ１０３からの映像信号をＭＰＥＧエンコード部１０７でＭＰＥＧエンコードし（ステップ４０６）、ＭＰＥＧエンコードされた映像信号をモニタ無線通信部１１１に送信する（ステップ４０７）。
【００２２】
次に、本実施の形態２によるモニタ部１０９のチャンネルサーチ機能の動作を図６に示すフローチャートを用いて説明する。
【００２３】
モニタ部１０９は、チューナ無線通信部１０８から送信される映像信号をモニタ無線通信部１１１で受信し（ステップ５０１）、受信した映像信号をＭＰＥＧデコード部１１２でデコードする（ステップ５０２）。モニタマイクロコンピュータ１１０は、モニタ無線通信部１１１の状態を監視し、無線接続されていない場合のみ（ステップ５０３で「Ｎ」）無線切断を示すグラフィックを映像処理部１１３で合成し（ステップ５０４）、映像処理した映像信号を映像出力部１１４で画面に出力する（ステップ５０６）。
【００２４】
なお、本実施の形態１及び２では、コンピュータプログラムによってそれぞれの手段が制御されることで実現したが、このコンピュータプログラムをＤＶＤ等の記録媒体に記録しておくことにより、移送が可能となり、独立した他の無線通信機能を内蔵したテレビジョン受像機においても容易に実施することができる。
【産業上の利用可能性】
【００２５】
本発明のテレビジョン受像機は、無線通信の接続状況が悪い環境でも最後までチャンネルサーチを行うことができ、さらにサーチ時間の短縮を行うことができ、無線通信機能を内蔵した全てのＡＶ機器で有用である。
【図面の簡単な説明】
【００２６】
【図１】本発明の一実施の形態における無線通信装置内蔵テレビジョン受像機を示すブロック図
【図２】本発明の一実施の形態におけるチューナ部の処理手順を示すフローチャート
【図３】本発明の一実施の形態におけるモニタ部の処理手順を示すフローチャート
【図４】本発明の他の実施の形態における無線通信装置内蔵テレビジョン受像機を示すブロック図
【図５】本発明の他の実施の形態におけるチューナ部の処理手順を示すフローチャート
【図６】本発明の他の実施の形態におけるモニタ部の処理手順を示すフローチャート
【符号の説明】
【００２７】
１０１    チューナ部
１０２    チューナマイクロコンピュータ
１０３    チューナ
１０４    チャンネルサーチ部
１０５    記憶部
１０６    チューナ映像処理部
１０７    ＭＰＥＧエンコード部
１０８    チューナ無線通信部
１０９    モニタ部
１１０    モニタマイクロコンピュータ
１１１    モニタ無線通信部
１１２    ＭＰＥＧデコード部
１１３    映像処理部
１１４    モニタ映像処理部
【図１】
2008061056.tif 000003
【図２】
2008061056.tif 000004
【図３】
2008061056.tif 000005
【図４】
2008061056.tif 000006
【図５】
2008061056.tif 000007
【図６】
2008061056.tif 000008